(57)【要約】【課題】ポスター貼り等は予めテープを確保して貼ったり、複数人数で貼っていた。【解決手段】テープカッターに設け、手の甲に位置させるよう掌に装着する手掛け具により、手の甲に設置することによりポスター貼りでテープカッターを装着した手でポスターを押さえながらその場で片方の手でテープが切断できるようにしたもので又、設置台と組み合わせることで設置型テープカッターとして使用できるものである。【選択図】  図５
2004315223.tif 000002
【特許請求の範囲】
【請求項１】
掌が入る装着部と携帯可能なテープカッターに固着できるよう設けられた固着部とを具備するテープカッター手掛け具。
【請求項２】
請求項１のテープカッター手掛け具を具備したことを特徴とする手掛け具付テープカッター。
【請求項３】
固定台部と、該固定台部に設けられ携帯可能なテープカッターの操作部を露出した状態で固定設置できる固定部とよりなる着脱機能付設置台。
【請求項４】
掌が入る装着部と携帯可能なテープカッターに固着できるよう設けられた固着部とを具備するテープカッター手掛け具と、該テープカッター手掛け具を着脱可能な状態で固定設置できる固定部を持つ固定台による手掛け具付設置台。
【発明の詳細な説明】
【０００１】
【発明の属する技術分野】
本発明は荷造り紐テープ、粘着及び接着テープカッターに関するものである。
【０００２】
【従来の技術】
（イ）特定の場所に設置された設置型テープカッターとして回転可能な状態でテープを収納し、テープを引き出しても本体が移動しない重量と摩擦抵抗の大きい接地面を有し、テープをカットする機能のカット部等を使い片手でテープを取り出していた。
（ロ）携帯型テープカッターは回転可能な状態でテープが収納されていてテープを引き出すときは本体を片手で持ち、他方の手で指先が入る空間を使いテープを引き出しカット部によりテープを切断していた。
【０００３】
【発明が解決しようとする課題】
（イ）テープで壁面にポスター等の貼付物を貼る場合、指先でとめることが多いため設置型テープカッターまで移動できず、予めテープを任意の長さにカットし、別の場所（手の甲等）に確保して貼らなくてはいけないのでそのための作業と接着力が劣化するという課題があった。
（ロ）卓上テープカッターと携帯用テープカッターを二台所有のとき通常は卓上テープカッターを使用し、携帯用テープカッターは保管場所が必要とする課題があった。
【０００４】
【課題を解決するための手段】
（イ）テープカッターに装着でき、手を通すことによって手の甲側に設置出来るような形状の装着部を具備して構成されている。
（ロ）設置時テープを引き出しても移動しない重量と摩擦抵抗の大きい接地面を持つ台にテープカッターを収納する格納空間又は、挿入部とに固着できる機能による取り付け状態でテープカッターとして使用できる着脱部を設ける。
【０００５】
【発明の実施の形態】
（イ）図１はセロテープ本体（Ｂ）とテープカッターの部位図で、カッター刃（Ａ７）を具備している方がテープカッター右側（Ａ１）で他方がテープカッター左側（Ａ２）となっていて各々収納部（Ａ３）とカッター刃（Ａ６）間に指入れ空間（Ａ５）を構成する形状となっている。
（ロ）収納部（Ａ３）にセロテープ本体（Ｂ）を保持するように円形の壁部を設け、組合せた状態でこの壁部内は円空間枠（Ａ４）となる。
【０００６】
図２は手掛け具（１１）である。掌が入る大きさで、突出部（１１１）を持つ楕円状のプラスチックリングに接着面（１１２）が具備されていて、接着面（１１２）に接着部（１１３）として両面テープが設けられている。
【０００７】
（イ）図３は手掛け具（１１）をテープカッター左側（Ａ２）側面の円空間枠（Ａ４）中央でカッター刃（Ａ６）に向け斜めに設けられた手掛け部付テープカッター（３１）である。
（ロ）突出部（１１１）は底辺（Ａ７）の高さ位置まで延長されている、これにより手から外し卓上等に置いたとき、安定して立たせることが可能となる。
【０００８】
図４は図３の手掛け具（１１）に左手の掌（Ｃ１）を挿入し、手掛け部付テープカッター（３１）を装着した斜視図である。
【０００９】
図５はその使用事例を示したもので、手掛け具（１１）に左手（Ｃ）の掌を入れ、その手でポスター（Ｅ）を任意の位置に調整し押さえながら片方の右手（Ｄ）で手掛け部付テープカッター（３１）内のセロテープ本体からカッター刃（Ａ６）にかけて延びた剥離セロテープ（Ｂ１）を希望の長さ分引き出しカッター刃（Ａ６）に押し当て切断し、必要量の長さによるセロテープ（Ｂ２）を得る作業図で、本発明によりその場にて片手で物を押さえる作業をしながら他方の手でテープをカットしている。
【００１０】
装着部は、以上の構造に限定されるものではなく、各種形態が可能である、これを図６、図７、図８をもちいて説明する。
（イ）図６はテープカッター右側（Ａ１）の円空間枠（Ａ４）の中心からカッター刃（Ａ６）に向けた線上の対角に帯状の物が円空間枠（Ａ４）外側に接続固定されていて、円空間枠（Ａ４）を通過しテープカッター左側（Ａ２）の外側に向け手の甲が挿入できるような大きさのループ状に突出されることにより手掛け具（１２）が構成されたものである。
（ロ）図７は天板にプラスチックの板をＵ字形に掌が挟まるよう曲げた手掛け具（１３）をテープカッター（Ａ）上部のテープカッター右側（Ａ１）に接着したものである。
（ハ）更にこの手掛け部（２４）を一体式に設けたのが図８の事例である。
【００１１】
荷造り用紐テープ、粘着テープ、接着テープ等のテープカッターに装着部を設けることによりなる本発明である。
【００１２】
又、本実施形態においては図９、図１０、図１１に示すように設置型としてより使いやすくした設置台を利用することも可能である。
（イ）図９は手掛け具（１１）とテープカッター（Ａ）部とそれに土台部（２１２）から前方に引っ張る力が作用しても外れないように手掛け具（１１）の内側と同じ空間の面積を持ち、後方上方４５度の角度で挿入しやすいよう一部半円形の突出した挿入部（２１１）とで構成されテープを引っ張り出しても移動しない重量と移動しにくい底辺を持っている着脱機能付設置台（２１）部による各部位の斜視図である。
（ロ）図１０はテープカッター（Ａ）に手掛け具（１１）が設置された手掛け具付テープカッターに着脱機能付設置台（２１）の挿入部（２１１）に手掛け具（１１）を挿入し手掛け部付テープカッター付属設置台（５１）として利用する状態を示した斜視図である。
【００１３】
図１１は図１０のカッター部にあるカッター刃（Ａ６）を正面とした手掛け部付テープカッター付属設置台（５１）の正面図である。
【００１４】
図１２は出入り口（２２１）からテープカッター（Ａ）の下部を収納するための収納部（２２２）空間が設けられていて、収納時カッター刃側に指入れ空間にての指入れが出来るよう一部が削除されていてテープを引っ張り出しても移動しない重量と移動しにくい底辺を持つ着脱機能付設置台（２２）の斜視図である。
【００１５】
図１３は携帯型テープカッター（Ａ）とその下部を収納するための着脱機能付設置台（２２）に携帯型テープカッター（Ａ）を収納したテープカッター付設置台（４１）の斜視図である。
【００１６】
図１４は手掛け具（１３）が設置された携帯型テープカッター（Ａ）を着脱機能付設置台（２２）の収納部に収納し手掛け部付テープカッター付属設置台（５２）として利用する状態を示した斜視図である。
【００１７】
図１５は着脱機能付設置台（２１）の挿入部（２１１）に手掛け具（１１）を装着した手掛け具付設置台（６１）で、手掛け具（１１）の接着部に任意による携帯テープカッターを装着可能な状態の斜視図である。
【００１８】
図１６は図１５の正面図である。
【００１９】
【発明の効果】
（イ）任意の携帯型テープカッター（Ａ）に本発明による手掛け具を設置し手の甲に装着する事により、移動することなく両手の指が自由に使え、その場で目的の部分を固定しながらテープを必要な長さにカットし貼ることができる。
（ロ）携帯型テープカッター（Ａ）を設置台に収納することにより保管場所としても卓上テープカッターとしても利用できる。
（ハ）使用目的に合わせ設置型テープカッターと携帯用テープカッターとして２台持つことなく併用して使用することができる。
（ニ）手の甲を装着する装着部に、テープカッターに対し接着及び着脱機能部を具備することにより任意のテープカッターに装着可能となる。
【図面の簡単な説明】
【図１】セロテープとテープカッター部位斜視図
【図２】手架け具
【図３】手架け具付テープカッター斜視図
【図４】手架け具付テープカッター装着斜視図
【図５】ポスター貼り作業図
【図６】手架け具付テープカッター斜視図
【図７】手架け具付テープカッター斜視図
【図８】手掛け部付テープカッター斜視図
【図９】手掛け部付テープカッター付属設置台部位斜視図
【図１０】手掛け部付テープカッター付属設置台斜視図
【図１１】図１０正面図
【図１２】着脱機能付設置台斜視図
【図１３】テープカッター付設置台斜視図
【図１４】手掛け部付テープカッター付属設置台斜視図
【図１５】手掛け具付設置台斜視図
【図１６】手掛け具付設置台正面図
【符号の説明】
１１  手掛け具
１１１  突出部
１１２  接地面
１１３  接着部
１２  手掛け具
１３  手掛け具
１４  手掛け部
２１  着脱機能付設置台
２１１  挿入部
２１２  接地面
２２  着脱機能付設置台
３１  手掛け部付テープカッター
４１  テープカッター付設置台
５１  手掛け部付テープカッター付属設置台
５２  手掛け部付テープカッター付属設置台
６１  手掛け具付設置台
Ａ    テープカッター
Ａ１  テープカッター右側
Ａ２  テープカッター左側
Ａ３  収納部
Ａ４  円空間枠
Ａ５  指入れ空間
Ａ６  カッター刃
Ａ７  底辺
Ｂ    セロテープ本体
Ｂ１  剥離テープ
Ｂ２  セロテープ
Ｃ    左手
Ｃ１  掌
Ｄ    右手
Ｅ    ポスター
【図１】
2004315223.tif 000003
【図２】
2004315223.tif 000004
【図３】
2004315223.tif 000005
【図４】
2004315223.tif 000006
【図５】
2004315223.tif 000007
【図６】
2004315223.tif 000008
【図７】
2004315223.tif 000009
【図８】
2004315223.tif 000010
【図９】
2004315223.tif 000011
【図１０】
2004315223.tif 000012
【図１１】
2004315223.tif 000013
【図１２】
2004315223.tif 000014
【図１３】
2004315223.tif 000015
【図１４】
2004315223.tif 000016
【図１５】
2004315223.tif 000017
【図１６】
2004315223.tif 000018